(57)【要約】【解決課題】  校正をおこなうための画像データがネットワークを介してやりとりされるシステムにおいて、画像データを保存するためのメモリが少なくでき、かつ、修正漏れを防ぐことができるようにする。【解決手段】  デザイン会社側システムの印刷サーバが、カラー画像データにＩＤを付与し（１０２）、クライアント会社側システムの印刷サーバへ送信すると共に、保存する（１０４）。次に、クライアント会社側システムでは、受信したカラー画像データを印刷し（１０６〜１１０）、赤入れ修正された印刷原稿をスキャンし（１１４、１１６）、印刷サーバがスキャンデータから赤文字抽出する処理を行う（１１８）。そして、赤文字抽出画像データにＩＤを付与し（１２０）、デザイン会社側システムの印刷サーバへ送信する（１２２）。デザイン会社側システムでは、印刷サーバが赤文字抽出画像データを受信し、同じＩＤを付与されたカラー画像データと合成して修正指示の入った印刷原稿を印刷させる（１２４〜１２８）。【選択図】  図４
2006092100.tif 000002
【特許請求の範囲】
【請求項１】
印刷原稿を修正する側に設けられた印刷サーバであって、
印刷原稿を出力するためのカラー画像データに前記印刷原稿を識別するための識別情報を付与する付与手段と、
前記カラー画像データを該カラー画像データに付与された前記識別情報と共に記憶する記憶手段と、
ネットワークを介して接続され、かつ、リモートプリント用印刷装置を制御するためのサーバに前記識別情報が付与された前記カラー画像データを送信する送信手段と、
前記識別情報が付与され、かつ、前記印刷原稿の修正指示部分を示す修正指示データを前記ネットワークを介して受信する受信手段と、
前記修正指示データに付与された前記識別情報と同じ識別情報が付与された前記カラー画像データを前記記憶手段から検索する検索手段と、
前記受信された修正指示データと前記検索手段により検索された前記カラー画像データとを合成してプリンタに出力する出力手段と、
を備えた印刷サーバ。
【請求項２】
印刷原稿の修正を指示する側に設けられた印刷サーバであって、
印刷原稿を識別するための識別情報が付与された前記印刷原稿を出力するためのカラー画像データをネットワークを介して受信する受信手段と、
前記受信された前記カラー画像データを該カラー画像データに付与された前記識別情報と共に記憶する記憶手段と、
前記カラー画像データをプリンタに出力する出力手段と、
前記プリンタから出力され、かつ、修正指示が記載された前記印刷原稿をスキャナによって読み取ることにより得られた修正指示入りカラー画像データを該スキャナから取り込む取込手段と、
前記取込手段によって取り込んだ修正指示入りカラー画像データに対応する前記カラー画像データを、ユーザから入力されたデータに応じて前記記憶手段から選択する選択手段と、
前記選択手段によって選択されたカラー画像データと前記修正指示入りカラー画像データとを比較して修正指示部分を示す修正指示データを抽出する抽出手段と、
前記選択されたカラー画像データと同じ識別情報を前記修正指示データに付与する付与手段と、
ネットワークを介して接続され、かつ、リモートプリント用印刷装置を制御するためのサーバに前記識別情報が付与された前記修正指示データを送信する送信手段と、
を備えた印刷サーバ。
【請求項３】
ユーザからの入力に応じて前記修正指示データを前記プリンタに出力する修正指示出力手段を更に備えた請求項１に記載の修正側印刷サーバ。
【請求項４】
前記抽出手段は、前記選択手段によって選択されたカラー画像データと前記修正指示入りカラー画像データとを比較して差分データを生成し、該差分データを画素毎に所定の閾値と比較することによって２値データとして修正指示部分を示す修正指示データを抽出する請求項２に記載の修正指示側印刷サーバ。
【請求項５】
印刷原稿を出力するためのカラー画像データに前記印刷原稿を識別するための識別情報を付与する第１の付与手段、
前記カラー画像データを該カラー画像データに付与された前記識別情報と共に記憶する第１の記憶手段、
前記識別情報が付与された前記カラー画像データを送信する第１の送信手段、
前記識別情報が付与され、かつ、前記印刷原稿の修正指示部分を示す修正指示データを前記ネットワークを介して受信する第１の受信手段、
前記修正指示データに付与された前記識別情報と同じ識別情報が付与された前記カラー画像データを前記記憶手段から検索する検索手段、及び
前記受信された修正指示データと前記検索手段により検索された前記カラー画像データとを合成して第１のプリンタに出力する第１の出力手段を備えた第１の印刷サーバと、
ネットワークを介して前記第１の送信手段から前記識別情報が付与された前記カラー画像データを受信する第２の受信手段、
前記受信された前記カラー画像データを該カラー画像データに付与された前記識別情報と共に記憶する第２の記憶手段、
前記カラー画像データを第２のプリンタに出力する第２の出力手段、
前記第２のプリンタから出力され、かつ、修正指示が記載された前記印刷原稿をスキャナによって読み取ることにより得られた修正指示入りカラー画像データを該スキャナから取り込む取込手段、
前記取込手段によって取り込んだ修正指示入りカラー画像データに対応する前記カラー画像データを、ユーザから入力されたデータに応じて前記第２の記憶手段から選択する選択手段、
前記選択手段によって選択されたカラー画像データと前記修正指示入りカラー画像データとを比較して修正指示部分を示す修正指示データを抽出する抽出手段、
前記選択されたカラー画像データと同じ識別情報を前記修正指示データに付与する第２の付与手段、及び
ネットワークを介して接続された前記第１の印刷サーバに、前記識別情報が付与された前記修正指示データを送信する第２の送信手段を備えた第２の印刷サーバと、
を備えた印刷原稿校正システム。
【請求項６】
印刷原稿を修正する側に設けられた印刷サーバにおいて、
印刷原稿を出力するためのカラー画像データに前記印刷原稿を識別するための識別情報を付与し、
前記カラー画像データを該カラー画像データに付与された前記識別情報と共に記憶し、
ネットワークを介して接続され、かつ、リモートプリント用印刷装置を制御するためのサーバに前記識別情報が付与された前記カラー画像データを送信し、
前記識別情報が付与され、かつ、前記印刷原稿の修正指示部分を示す修正指示データを前記ネットワークを介して受信し、
前記修正指示データに付与された前記識別情報と同じ識別情報が付与された前記カラー画像データを前記記憶したカラー画像データから検索し、
前記受信された修正指示データと前記検索された前記カラー画像データとを合成してプリンタに出力することを特徴とする印刷原稿校正方法。
【請求項７】
印刷原稿の修正を指示する側に設けられた印刷サーバにおいて、
印刷原稿を識別するための識別情報が付与された前記印刷原稿を出力するためのカラー画像データをネットワークを介して受信し、
前記受信された前記カラー画像データを該カラー画像データに付与された前記識別情報と共に記憶し、
前記カラー画像データをプリンタに出力し、
前記プリンタから出力され、かつ、修正指示が記載された前記印刷原稿をスキャナによって読み取ることにより得られた修正指示入りカラー画像データを該スキャナから取り込み、
前記取り込んだ修正指示入りカラー画像データに対応する前記カラー画像データを、ユーザから入力されたデータに応じて前記記憶したカラー画像データから選択し、
前記選択されたカラー画像データと前記修正指示入りカラー画像データとを比較して修正指示部分を示す修正指示データを抽出し、
前記選択されたカラー画像データと同じ識別情報を前記修正指示データに付与し、
ネットワークを介して接続され、かつ、リモートプリント用印刷装置を制御するためのサーバに前記識別情報が付与された前記修正指示データを送信することを特徴とする印刷原稿校正方法。
【請求項８】
ネットワークを介して接続され、かつ、印刷原稿を修正する側に設けられた第１の印刷サーバ及び印刷原稿の修正を指示する側に設けられた第２の印刷サーバを備えた印刷原稿校正システムにおいて、
前記第１の印刷サーバが、印刷原稿を出力するためのカラー画像データに前記印刷原稿を識別するための識別情報を付与し、
前記カラー画像データを該カラー画像データに付与された前記識別情報と共に記憶し、
前記識別情報が付与された前記カラー画像データを送信し、
前記第２の印刷サーバが、ネットワークを介して前記識別情報が付与された前記カラー画像データを受信し、
前記受信された前記カラー画像データを該カラー画像データに付与された前記識別情報と共に記憶し、
前記カラー画像データを第２のプリンタに出力し、
前記第２のプリンタから出力され、かつ、修正指示が記載された前記印刷原稿をスキャナによって読み取ることにより得られた修正指示入りカラー画像データを該スキャナから取り込み、
前記取り込んだ修正指示入りカラー画像データに対応する前記カラー画像データを、ユーザから入力されたデータに応じて前記記憶したカラー画像データから選択し、
前記選択されたカラー画像データと前記修正指示入りカラー画像データとを比較して修正指示部分を示す修正指示データを抽出し、
前記選択されたカラー画像データと同じ識別情報を前記修正指示データに付与し、
前記第１の印刷サーバに、前記識別情報が付与された前記修正指示データを送信し、
前記第１の印刷サーバが、前記識別情報が付与された前記修正指示データを前記ネットワークを介して受信し、
前記修正指示データに付与された前記識別情報と同じ識別情報が付与された前記カラー画像データを前記記憶されたカラー画像データから検索し、
前記受信された修正指示データと前記検索された前記カラー画像データとを合成して第１のプリンタに出力することを特徴とする印刷原稿校正方法。
【発明の詳細な説明】
【技術分野】
【０００１】
この発明は、印刷サーバ、印刷原稿校正システム、及び印刷原稿校正方法に係り、特に、デザイン会社が作成した印刷原稿をクライアント会社が確認して、印刷原稿に修正箇所を赤入れしてデザイン会社へ戻す際の印刷サーバ、印刷原稿校正システム、及び印刷原稿校正方法に関する。
【背景技術】
【０００２】
従来、印刷原稿は、デザイン会社で作成されたカラー画像データに基づいて印刷され、印刷原稿がクライアント会社に郵便等によって運ばれ、印刷原稿の内容がクライアントの意図した内容と同一か否かがクライアント会社側で確認され、異なっている場合には印刷原稿に修正指示の赤入れが行われている。
【０００３】
そして、赤入れされた印刷原稿がデザイン会社のもとへ郵便等によって運ばれ、デザイン会社側では、赤入れされた印刷原稿に従って印刷原稿の該当する箇所を修正する。このとき、修正箇所の見落としによる修正漏れが発生する場合がある。
【０００４】
この修正漏れを防止するために、印刷物を表すデザイン画像と赤字修正指示の入った修正指示画像とをスキャナにて読み込み、修正指示箇所を抽出して画面上に重ねて表示することにより修正漏れを防止する原稿修正装置が知られている（特許文献１）。
【０００５】
しかしながら、特許文献１に記載の原稿修正装置では、校正を行うための画像が、印刷物として制作者とクライアントの間を行き来することになるため、手間がかかる、という問題がある。
【０００６】
この問題を解決するために、ネットワーク上のどの出力装置でも正確に色再現された印刷原稿を出力可能なリモートカラープルーフィングシステムが知られている（特許文献２）。
【特許文献１】特開平９―２３１３９０号公報
【特許文献２】特開２００２―２９０７６２公報
【発明の開示】
【発明が解決しようとする課題】
【０００７】
しかしながら、特許文献２に記載のリモートカラープルーフィングシステムでは、校正を行うための画像がラスタデータとしてやりとりされるため、修正前画像、修正指示入り画像、及び修正済み画像などの画像データを保存するために大きなメモリが必要となる、という問題がある。
【０００８】
本発明は、上記の問題点を解決するためになされたもので、校正を行うための画像データがネットワークを介してやりとりされるシステムにおいて、画像データを保存するためのメモリが少なくでき、かつ、修正漏れを防ぐことができる印刷サーバ、印刷原稿校正システム、及び印刷原稿校正方法を提供するを目的とする。
【課題を解決するための手段】
【０００９】
上記の目的を達成するために第１の発明に係る印刷サーバは、印刷原稿を修正する側に設けられた印刷サーバであって、印刷原稿を出力するためのカラー画像データに前記印刷原稿を識別するための識別情報を付与する付与手段と、前記カラー画像データを該カラー画像データに付与された前記識別情報と共に記憶する記憶手段と、ネットワークを介して接続され、かつ、リモートプリント用印刷装置を制御するためのサーバに前記識別情報が付与された前記カラー画像データを送信する送信手段と、前記識別情報が付与され、かつ、前記印刷原稿の修正指示部分を示す修正指示データを前記ネットワークを介して受信する受信手段と、前記修正指示データに付与された前記識別情報と同じ識別情報が付与された前記カラー画像データを前記記憶手段から検索する検索手段と、前記受信された修正指示データと前記検索手段により検索された前記カラー画像データとを合成してプリンタに出力する出力手段と、を備えて構成されている。
【００１０】
第１の発明によれば、付与手段が、印刷原稿を出力するためのカラー画像データに印刷原稿を識別するための識別情報を付与し、記憶手段が、カラー画像データをカラー画像データに付与された識別情報と共に記憶する。そして、送信手段が、ネットワークを介して接続され、かつ、リモートプリント用印刷装置を制御するためのサーバに識別情報が付与されたカラー画像データを送信する。
【００１１】
そして、受信手段が、印刷原稿の修正指示部分を示す修正指示データをネットワークを介して受信し、検索手段が、修正指示データに付与された識別情報と同じ識別情報が付与されたカラー画像データを記憶手段から検索する。次に、出力手段が、受信された修正指示データと検索手段により検索されたカラー画像データとを合成してプリンタに出力する。
【００１２】
第１の発明では、ネットワークを介して修正指示部分を示す修正指示データのみを受信することにより、修正指示を受けるためのデータを保存するためのメモリを少なくでき、また、修正指示データとカラー画像データとを合成してプリンタに出力することにより、修正する際に出力された印刷原稿を確認しながら修正漏れを防ぐことができる。
【００１３】
また、第１の発明に係る印刷サーバは、ユーザからの入力に応じて修正指示データをプリンタに出力する修正指示出力手段を更に備えることができる。これにより、修正指示部分を確認することができるため、修正漏れを防ぐことができる。
【００１４】
また、第２の発明に係る印刷サーバは、印刷原稿の修正を指示する側に設けられた印刷サーバであって、印刷原稿を識別するための識別情報が付与された前記印刷原稿を出力するためのカラー画像データをネットワークを介して受信する受信手段と、前記受信された前記カラー画像データを該カラー画像データに付与された前記識別情報と共に記憶する記憶手段と、前記カラー画像データをプリンタに出力する出力手段と、前記プリンタから出力され、かつ、修正指示が記載された前記印刷原稿をスキャナによって読み取ることにより得られた修正指示入りカラー画像データを該スキャナから取り込む取込手段と、前記取込手段によって取り込んだ修正指示入りカラー画像データに対応する前記カラー画像データを、ユーザから入力されたデータに応じて前記記憶手段から選択する選択手段と、前記選択手段によって選択されたカラー画像データと前記修正指示入りカラー画像データとを比較して修正指示部分を示す修正指示データを抽出する抽出手段と、前記選択されたカラー画像データと同じ識別情報を前記修正指示データに付与する付与手段と、ネットワークを介して接続され、かつ、リモートプリント用印刷装置を制御するためのサーバに前記識別情報が付与された前記修正指示データを送信する送信手段と、を備えて構成されている。
【００１５】
第２の発明によれば、受信手段が、印刷原稿を識別するための識別情報が付与された印刷原稿を出力するためのカラー画像データをネットワークを介して受信し、記憶手段が、受信されたカラー画像データをカラー画像データに付与された識別情報と共に記憶する。そして、出力手段が、カラー画像データをプリンタに出力する。
【００１６】
また、取込手段が、プリンタから出力され、かつ、修正指示が記載された印刷原稿をスキャナによって読み取ることにより得られた修正指示入りカラー画像データをスキャナから取り込み、選択手段が、取込手段によって取り込んだ修正指示入りカラー画像データに対応するカラー画像データを、ユーザから入力されたデータに応じて記憶手段から選択する。そして、抽出手段が、選択手段によって選択されたカラー画像データと修正指示入りカラー画像データとを比較して修正指示部分を示す修正指示データを抽出する。
【００１７】
次に、付与手段が、選択されたカラー画像データと同じ識別情報を修正指示データに付与し、送信手段が、ネットワークを介して接続され、かつ、リモートプリント用印刷装置を制御するためのサーバに識別情報が付与された修正指示データを送信する。
【００１８】
第２の発明では、スキャンデータから修正指示部分を示す修正指示データのみ抽出し、保存することにより、修正を指示するためのデータを保存するためのメモリを少なくでき、また、修正指示データを送信することにより、修正指示部分を示して修正漏れを防ぐことができる。
【００１９】
また、抽出手段は、選択手段によって選択されたカラー画像データと修正指示入りカラー画像データとを比較して差分データを生成し、差分データを画素毎に所定の閾値と比較することによって２値データとして修正指示部分を示す修正指示データを抽出することができる。これにより、修正指示データのデータサイズを小さくすることができるため、修正を指示するためのデータを保存するためのメモリを更に少なくすることができる。
【００２０】
第３の発明に係る印刷原稿校正システムは、印刷原稿を出力するためのカラー画像データに前記印刷原稿を識別するための識別情報を付与する第１の付与手段、前記カラー画像データを該カラー画像データに付与された前記識別情報と共に記憶する第１の記憶手段、
前記識別情報が付与された前記カラー画像データを送信する第１の送信手段、前記識別情報が付与され、かつ、前記印刷原稿の修正指示部分を示す修正指示データを前記ネットワークを介して受信する第１の受信手段、前記修正指示データに付与された前記識別情報と同じ識別情報が付与された前記カラー画像データを前記記憶手段から検索する検索手段、及び前記受信された修正指示データと前記検索手段により検索された前記カラー画像データとを合成して第１のプリンタに出力する第１の出力手段を備えた第１の印刷サーバと、ネットワークを介して前記第１の送信手段から前記識別情報が付与された前記カラー画像データを受信する第２の受信手段、前記受信された前記カラー画像データを該カラー画像データに付与された前記識別情報と共に記憶する第２の記憶手段、前記カラー画像データを第２のプリンタに出力する第２の出力手段、前記第２のプリンタから出力され、かつ、修正指示が記載された前記印刷原稿をスキャナによって読み取ることにより得られた修正指示入りカラー画像データを該スキャナから取り込む取込手段、前記取込手段によって取り込んだ修正指示入りカラー画像データに対応する前記カラー画像データを、ユーザから入力されたデータに応じて前記第２の記憶手段から選択する選択手段、前記選択手段によって選択されたカラー画像データと前記修正指示入りカラー画像データとを比較して修正指示部分を示す修正指示データを抽出する抽出手段、前記選択されたカラー画像データと同じ識別情報を前記修正指示データに付与する第２の付与手段、及びネットワークを介して接続された前記第１の印刷サーバに、前記識別情報が付与された前記修正指示データを送信する第２の送信手段を備えた第２の印刷サーバとを備えて構成されている。
【００２１】
第３の発明では、上記の第１の発明に係る印刷サーバと上記の第２の発明に係る印刷サーバとがネットワークを介してカラー画像データ及び修正指示データの送受信をすることにより、修正指示のためのデータを保存するためのメモリを少なくでき、また、プリンタから出力された修正指示入りの印刷物を確認しながら修正することにより修正漏れを防ぐことができる。
【００２２】
第４の発明に係る印刷原稿校正方法は、印刷原稿を修正する側に設けられた印刷サーバにおいて、印刷原稿を出力するためのカラー画像データに前記印刷原稿を識別するための識別情報を付与し、前記カラー画像データを該カラー画像データに付与された前記識別情報と共に記憶し、ネットワークを介して接続され、かつ、リモートプリント用印刷装置を制御するためのサーバに前記識別情報が付与された前記カラー画像データを送信し、前記識別情報が付与され、かつ、前記印刷原稿の修正指示部分を示す修正指示データを前記ネットワークを介して受信し、前記修正指示データに付与された前記識別情報と同じ識別情報が付与された前記カラー画像データを前記記憶したカラー画像データから検索し、前記受信された修正指示データと前記検索された前記カラー画像データとを合成してプリンタに出力することを特徴としている。
【００２３】
第５の発明に係る印刷原稿校正方法は、印刷原稿の修正を指示する側に設けられた印刷サーバにおいて、印刷原稿を識別するための識別情報が付与された前記印刷原稿を出力するためのカラー画像データをネットワークを介して受信し、前記受信された前記カラー画像データを該カラー画像データに付与された前記識別情報と共に記憶し、前記カラー画像データをプリンタに出力し、前記プリンタから出力され、かつ、修正指示が記載された前記印刷原稿をスキャナによって読み取ることにより得られた修正指示入りカラー画像データを該スキャナから取り込み、前記取り込んだ修正指示入りカラー画像データに対応する前記カラー画像データを、ユーザから入力されたデータに応じて前記記憶したカラー画像データから選択し、前記選択されたカラー画像データと前記修正指示入りカラー画像データとを比較して修正指示部分を示す修正指示データを抽出し、前記選択されたカラー画像データと同じ識別情報を前記修正指示データに付与し、ネットワークを介して接続され、かつ、リモートプリント用印刷装置を制御するためのサーバに前記識別情報が付与された前記修正指示データを送信することを特徴としている。
【００２４】
第６の発明に係る印刷原稿校正方法は、ネットワークを介して接続され、かつ、印刷原稿を修正する側に設けられた第１の印刷サーバ及び印刷原稿の修正を指示する側に設けられた第２の印刷サーバを備えた印刷原稿校正システムにおいて、前記第１の印刷サーバが、印刷原稿を出力するためのカラー画像データに前記印刷原稿を識別するための識別情報を付与し、前記カラー画像データを該カラー画像データに付与された前記識別情報と共に記憶し、前記識別情報が付与された前記カラー画像データを送信し、前記第２の印刷サーバが、ネットワークを介して前記識別情報が付与された前記カラー画像データを受信し、前記受信された前記カラー画像データを該カラー画像データに付与された前記識別情報と共に記憶し、前記カラー画像データを第２のプリンタに出力し、前記第２のプリンタから出力され、かつ、修正指示が記載された前記印刷原稿をスキャナによって読み取ることにより得られた修正指示入りカラー画像データを該スキャナから取り込み、前記取り込んだ修正指示入りカラー画像データに対応する前記カラー画像データを、ユーザから入力されたデータに応じて前記記憶したカラー画像データから選択し、前記選択されたカラー画像データと前記修正指示入りカラー画像データとを比較して修正指示部分を示す修正指示データを抽出し、前記選択されたカラー画像データと同じ識別情報を前記修正指示データに付与し、前記第１の印刷サーバに、前記識別情報が付与された前記修正指示データを送信し、前記第１の印刷サーバが、前記識別情報が付与された前記修正指示データを前記ネットワークを介して受信し、前記修正指示データに付与された前記識別情報と同じ識別情報が付与された前記カラー画像データを前記記憶されたカラー画像データから検索し、前記受信された修正指示データと前記検索された前記カラー画像データとを合成して第１のプリンタに出力することを特徴としている。
【発明の効果】
【００２５】
以上説明したように、本発明の印刷サーバ、印刷原稿校正システム、及び印刷原稿校正方法によれば、修正指示部分を示す修正指示データをネットワークを介して送受信することにより、修正指示のためのデータを保存するためのメモリを少なくでき、かつ、修正漏れを防ぐことができる、という効果が得られる。
【発明を実施するための最良の形態】
【００２６】
以下に、本発明の実施の形態について図面を参照して説明する。
【００２７】
図１に示すように、本実施の形態に係る印刷原稿校正システム１０は、クライアント会社側システム１２とデザイン会社側システム１４とインターネット等のネットワーク２８とから構成されている。クライアント会社側システム１２は、受信した印刷ジョブに基づいて画像処理を行いリモートプリントや通常の印刷処理の実行を指示する印刷サーバ１６、記録用紙に画像を形成し、かつ、印刷物に形成された画像を読み取るプリンタ・スキャナ複合装置１８、及び画像の作成、加工、編集等の画像処理や文書作成を行う複数のクライアントＰＣ２０から構成されており、デザイン会社側システム１４も同様に印刷サーバ２２、プリンタ・スキャナ複合装置２４、及び複数のクライアントＰＣ２６から構成されている。クライアント会社側システム１２の印刷サーバ１６とデザイン会社側システム１４の印刷サーバ２２とはネットワーク２８によって接続されている。
【００２８】
また、クライアント会社側システム１２では、図２に示すように、印刷サーバ１６にプリンタ・スキャナ複合装置１８とクライアントＰＣ２０とが接続されており、デザイン会社側システム１４でも同様に、印刷サーバ２２にプリンタ・スキャナ複合装置２４とクライアントＰＣ２６とが接続されている。
【００２９】
クライアント会社側システム１２の印刷サーバ１６には、キーボード、マウス等の入力デバイス、及び、CRT、液晶ディスプレイ等の表示デバイス（以下、「モニタ」と称する）が設けられており、各種の動作状況やユーザインタフェースの表示及び表示に基づいた各種の情報の入力操作が可能となっている。
【００３０】
この印刷サーバ１６には、図３に示すように、印刷サーバ１６自体の動作を制御すると共に、プリンタ・スキャナ複合装置１８の動作を指示するプリント制御部３０と、各種の画像処理と共に画像データの色変換処理及び色変換処理された画像データや描画命令からラスタデータを作成するＲＩＰ処理を行う画像処理部３２とが設けられている。また、印刷サーバ１６には、クライアントＰＣ２０から入力される印刷ジョブ中の印刷設定などの処理指示に基づいて各種の処理設定等を行う処理設定部３４、及び各種のプログラム、画像処理、印刷処理を実行するための各種のデータと共に、色変換のためのパラメータ（色変換情報）が登録されている色変換テーブルとラスタライズのためのフォントデータとが格納されているＨＤＤ３６が設けられている。また、処理設定部３４は、クライアントＰＣ２０から入力された画像データやプリンタ・スキャナ複合装置１８から入力されたスキャンデータをＨＤＤ３６に格納する。
【００３１】
この印刷サーバ１６は、その他に、従来公知のリモートプリント機能を有した印刷サーバの一般的構成を備えたものであればよく、本実施の形態では、印刷サーバ１６の一般的処理の説明を省略する。
【００３２】
一方、クライアントＰＣ２０には、各種のアプリケーション４０が設けられており、また、クライアントＰＣ２０は、キーボードやポインティングデバイスなどの入力デバイス及びＣＲＴや液晶ディスプレイなどの表示デバイス（以下、「モニタ」と称する）を備えている。
【００３３】
クライアントＰＣ２０では、アプリケーション４０を用いて、モニタに画像を表示しながら、キーボードやポインティングデバイスを用いて、画像の作成、加工、編集等の画像処理や文書作成等が行われる。
【００３４】
クライアントＰＣ２０には、プリンタドライバ４２及びＨＤＤ４４が設けられている。ＨＤＤ４４には、各種のプログラムと共に、アプリケーション４０によって作成されたファイルが画像データとして格納される。
【００３５】
また、クライアントＰＣ２０は、アプリケーション４０によって作成されたページレイアウトや文書を表す画像データを印刷サーバ１６へ送信する。また、クライアントＰＣ２０は、印刷サーバ１６に備えた各種の処理機能に対する指示（以下「印刷設定」という）を、プリンタドライバ４２を用いて設定する。
【００３６】
なお、このようなクライアントＰＣ２０は、従来公知の一般的構成のパーソナルコンピュータを適用でき、本実施の形態では、クライアントＰＣ２０の詳細な構成の説明を省略する。
【００３７】
また、プリンタ・スキャナ複合装置１８は、図３に示すように、電子写真プロセスによって記録用紙に画像を形成する画像形成部５０と、印刷物に形成された画像を読み取ってスキャンデータを生成する画像読取部５２と、プリンタ・スキャナ複合装置１８の各部の動作を制御する処理制御部５４とが設けられている。プリンタ・スキャナ複合装置１８は、従来公知の一般的機能を備えており、各印刷機能及び読取機能に関する説明は省略する。
【００３８】
また、デザイン会社側システム１４の印刷サーバ２２、クライアントＰＣ２６、及びプリンタスキャナ複合装置２４は、クライアント会社側システム１２と同様の構成をしているため、各部の詳細な説明は省略する。また、デザイン会社側システム１４の印刷サーバ２２、クライアントＰＣ２６、及びプリンタスキャナ複合装置２４の各部の符号についてもクライアント会社側システム１２と同様の符号を用いる。
【００３９】
次に、本実施の形態の作用を図４を用いて説明する。
【００４０】
まず、ステップ１００で、デザイン会社側システム１４のクライアントＰＣ２６で、アプリケーション４０を用いてページレイアウトや文書などのデータの作成、編集や加工などの処理が行われ、作成されたカラー画像データがＨＤＤ４４に保存される。
【００４１】
そして、クライアントＰＣ２６では、プリンタドライバ４２を用いてアプリケーション４０によって作成されたカラー画像データ及び印刷動作の実行を指示する実行指示情報からなる印刷ジョブデータを印刷サーバ２２へ送信する。このときに、実行指示情報としてリモートプリント先の印刷サーバが設定される。
【００４２】
次のステップ１０２では、印刷サーバ２２が、カラー画像データの情報（例えば、ファイル名、作成日時、ファイルサイズなど）をＩＤとしてカラー画像データに付与する。例えば、カラー画像データのヘッダ部分にＩＤを記録して付与する。そして、ステップ１０４では、ＩＤが付与されたカラー画像データをクライアント会社側システム１２の印刷サーバ１６へ送信すると共に、ＩＤが付与されたカラー画像データをＨＤＤ３６に保存する。また、クライアント会社側システム１２の印刷サーバ１６へカラー画像データを送信する際に、画像の色変換処理に用いる色変換情報も送信する。なお、保存の際のカラー画像データはＰＳ（ポストスクリプト）ファイル形式でもよく、ＲＩＰ処理後のラスタデータでもよい。
【００４３】
次に、ステップ１０６では、クライアント会社側システム１２の印刷サーバ１６が、受信したカラー画像データに対して、受信した色変換情報を用いて、正確に色再現されるように色変換を行う。そして、ステップ１０８で、色変換されたカラー画像データをＨＤＤ３６に格納されているフォントデータを用いてラスタデータに展開する。
【００４４】
そして、ステップ１１０で、ラスタデータに展開されたカラー画像データをプリンタ・スキャナ複合装置１８へ出力し、印刷させると共に、ＨＤＤ３６に保存する。
【００４５】
次のステップ１１２では、ラスタデータに展開されたカラー画像データを白黒画像に変換して白黒ラスタデータを生成し、このカラー画像データと同じＩＤを白黒ラスタデータに付与してＨＤＤ３６に保存する。
【００４６】
そして、クライアント会社側で、図５に示すように、印刷された印刷原稿を確認し赤入れにて修正指示を行う。そして、ステップ１１４で、ユーザは、プリンタ・スキャナ複合装置１８に赤入れ修正された印刷原稿をスキャン部分にセットし、ユーザの操作により印刷サーバ１６が、プリンタ・スキャナ複合装置１８に対して赤入れ修正された印刷原稿のスキャンを指示する。その際に、図６に示すような画像選択ダイアログがモニタに表示させ、スキャンする印刷原稿のカラー画像データを選択させる。なお、選択画面には、カラー画像データの受信日時、データサイズ、ファイル名などを表示し、好ましくは、カラー画像データのプレビュー画像を表示させる。
【００４７】
次のステップ１１６では、プリンタ・スキャナ複合装置１８が赤入れ修正された印刷原稿をスキャンし、スキャンデータを生成する。そして、ステップ１１８では、以下に説明するように、印刷サーバ１６がスキャンデータから赤文字抽出する処理を行う。
【００４８】
図７に示すように、まずステップ１４０で、スキャンデータがプリンタ・スキャナ複合装置１８から印刷サーバ１６に入力されたか否かを判定する。ステップ１４０は肯定されるまで繰り返され、肯定されるとステップ１４２へ移行する。
【００４９】
ステップ１４２では、ステップ１１４で選択されたカラー画像データのＩＤを取得する。そして、ステップ１４４で、スキャンデータを白黒データに変換し、白黒スキャンデータを生成する。また、ステップ１４６で、ＨＤＤ３６からステップ１４２で取得したＩＤの白黒ラスタデータを取得する。
【００５０】
次のステップ１４８では、ステップ１４４で生成した白黒スキャンデータとステップ１４６で取得した白黒ラスタデータとについて各画素毎に濃度を比較し、差分データを生成する。そして、ステップ１５０で、差分データに対して閾値比較することにより２値化データとして赤文字抽出画像データを作成する。
【００５１】
次に図４のステップ１２０では、ステップ１４２で取得されたＩＤを赤文字抽出画像データに付与して、ステップ１２２で、ネットワーク２８を介して赤文字抽出画像データをデザイン会社側システム１４の印刷サーバ２２に送信すると共に、ＨＤＤ３６に保存する。
【００５２】
次のステップ１２４で、デザイン会社側システム１４の印刷サーバ２２が、赤文字抽出画像データを受信して、ＨＤＤ３６に保存する。そして、ステップ１２６では、赤文字抽出画像データに付与されたＩＤを取得して、このＩＤを付与されたカラー画像データをＨＤＤ３６から検索する。
【００５３】
次に、ステップ１２８では、赤文字抽出画像データを赤色画像データに変換し、変換した赤文字抽出画像データとステップ１２６で検索されたカラー画像データとを合成して合成画像データを生成し、合成画像データをプリンタ・スキャナ複合装置２４に出力し、修正指示の入った印刷原稿を印刷させる。
【００５４】
そして、ステップ１３０では、デザイナが印刷された修正指示の入った印刷原稿を見ながら、クライアントＰＣ２６でアプリケーション４０を用いてカラー画像データを修正して、修正済みカラー画像データを作成し、作成された修正済みカラー画像データがＨＤＤ４４に保存される。そして、クライアントＰＣ２６は、修正済みカラー画像データ及び実行指示情報からなる印刷ジョブデータを印刷サーバ２２へ送信する。
【００５５】
次に、ステップ１３２で、修正済みカラー画像データに修正前のカラー画像データと同じＩＤを付与する。そして、ステップ１３４では、ＩＤが付与された修正済みカラー画像データをクライアント会社側システム１２の印刷サーバ１６へ送信すると共に、ＨＤＤ３６に保存し、クライアント会社側システム１２で、上記のステップ１０６〜１２２の処理を行う。
【００５６】
上記の処理は、クライアント会社の校正が完了するまで繰り返される。
【００５７】
また、デザイン会社側システム１４の印刷サーバ２２では、修正漏れを防止するために修正部分のみを抽出した画像をプリンタ・スキャナ複合装置２４に印刷させることが可能である。この場合には、印刷サーバ２２が、修正前のカラー画像データと修正済みカラー画像データとを比較し差分データのみを抽出することによって、修正部分抽出画像データを生成し、プリンタ・スキャナ複合装置２４に印刷させる。なお、修正部分抽出画像データを印刷する場合には、修正部分のみを詰めて印刷させるような機能を設けて、プリントする枚数を減らすようにしてもよい。
【００５８】
また、クライアント会社側システム１２及びデザイン会社側システム１４において、図８に示すような印刷ダイアログが印刷サーバ１６、２２のモニタに表示され、オリジナルのカラー画像データ、赤文字抽出画像データ、修正部分抽出画像データ、及びそれぞれの合成画像データの何れか１つが選択されると、印刷サーバ１６、２２は選択された画像データをプリンタ・スキャナ複合装置１８、２４に印刷させることができる。
【００５９】
以上説明したように、本発明の実施形態に係る印刷原稿校正システムによれば、ネットワークを介して印刷サーバにカラー画像データや赤文字抽出画像データを送受信することにより、校正のためのデータをネットワーク上でやりとりすることができる。また、修正指示部分を示す２値化された赤文字抽出画像データをネットワークを介して送受信することにより、修正指示のためのデータを保存するためのメモリを少なくでき、かつ、修正漏れを防ぐことができる。また、赤文字抽出画像データのみを印刷することにより、修正指示部分を確認することができるため、修正漏れを防ぐことができる。
【図面の簡単な説明】
【００６０】
【図１】本発明の実施の形態に係る印刷原稿校正システムの構成を示す概略図である。
【図２】本発明の実施の形態に係るクライアント会社側システムの構成図である。
【図３】本発明の実施の形態に係る印刷サーバ、プリンタ・スキャナ複合装置、及びホストＰＣの構成図である。
【図４】本発明の実施の形態に係る印刷原稿校正システムの処理の内容を示すシーケンス図である。
【図５】本発明の実施の形態に係る赤入れ修正指示された印刷原稿のイメージ図である。
【図６】本発明の実施の形態に係るプリンタ・スキャナ複合装置に印刷原稿のスキャンを指示する際に表示される画像選択ダイアログのイメージ図である。
【図７】本発明の実施の形態に係る赤文字抽出処理のフローチャートである。
【図８】本発明の実施の形態に係る印刷ダイアログのイメージ図である。
【符号の説明】
【００６１】
１０  印刷原稿校正システム
１２  クライアント会社側システム
１４  デザイン会社側システム
１６、２２  印刷サーバ
１８、２４  プリンタ・スキャナ複合装置
２０、２６  クライアントＰＣ
２８  ネットワーク
【図１】
2006092100.tif 000003
【図２】
2006092100.tif 000004
【図３】
2006092100.tif 000005
【図４】
2006092100.tif 000006
【図５】
2006092100.tif 000007
【図６】
2006092100.tif 000008
【図７】
2006092100.tif 000009
【図８】
2006092100.tif 000010